(57)【要約】      （修正有）【課題】ハイブリッド車両の定速走行の制御性を向上する定速走行制御システムを提供する。【解決手段】運転者の操作により設定される目標車速と走行道路の傾斜角に基づいて定速走行のための要求トルクを算出する段階；前記算出された要求トルクを設定された比率のエンジントルクおよびモータトルクに分配してエンジンとモータで前記設定された比率のトルクが発生するように前記エンジンとモータに指令する段階；前記走行車速と前記目標車速の速度差を算出する段階；前記算出された速度差に基づいて前記目標車速を追従するための追従モータトルクを算出して前記分配されたモータトルクに合算する段階；および前記合算されたモータトルクを前記モータに指令して前記走行車速を前記目標車速で制御する段階を含む定速走行制御システム。【選択図】図４
2014169065.tif 000002
【特許請求の範囲】
【請求項１】
ハイブリッド車両の走行車速を設定された目標車速で自動制御する定速走行制御方法であって、
前記目標車速と走行道路の傾斜角に基づいて定速走行のための要求トルクを算出する段階；
前記算出された要求トルクを設定された比率のエンジントルクおよびモータトルクに分配してエンジンとモータで前記設定された比率のトルクが発生するように前記エンジンとモータに指令する段階；
前記走行車速と前記目標車速の速度差を算出する段階；
前記算出された速度差に基づいて前記目標車速を追従するための追従モータトルクを算出して前記分配されたモータトルクに合算する段階；および
前記合算されたモータトルクを前記モータに指令して前記走行車速を前記目標車速で制御する段階；
を含むことを特徴とするハイブリッド車両の定速走行制御方法。
【請求項２】
前記目標車速が変更されると、前記変更された目標車速に基づいて前記要求トルクを更新算出し、更新算出された要求トルクを設定された比率のエンジントルクおよびモータトルクに更新分配することを特徴とする請求項１に記載のハイブリッド車両の定速走行制御方法。
【請求項３】
前記走行道路の傾斜角または前記ハイブリッド車両の走行負荷が変更されると、前記設定された比率で分配されたエンジントルク指令およびモータトルク指令を維持することを特徴とする請求項１に記載のハイブリッド車両の定速走行制御方法。
【請求項４】
ハイブリッド車両の走行車速を設定された目標車速で自動制御する定速走行制御システムであって、
前記ハイブリッド車両が走行する道路の傾斜角を検出する傾斜角センサー；
前記ハイブリッド車両の走行車速を検出する車速センサー；
エンジン、モータ、変速装置および制動装置を含んで前記ハイブリッド車両の走行車速を制御するための被制御対象；および
前記傾斜角センサーおよび車速センサーの信号を受信して前記被制御対象を制御して走行車速を設定された目標車速で制御する制御器を含み、
前記制御器は、
前記目標車速と走行道路の傾斜角に基づいて定速走行のための要求トルクを算出する段階；前記算出された要求トルクを設定された比率のエンジントルクおよびモータトルクに分配してエンジンとモータで前記設定された比率のトルクが発生するように前記エンジンとモータに指令する段階；前記走行車速と前記目標車速の速度差を算出する段階；前記算出された速度差に基づいて前記目標車速を追従するための追従モータトルクを算出して前記分配されたモータトルクに合算する段階；および前記合算されたモータトルクを前記モータに指令して前記走行車速を前記目標車速で制御する段階を含む方法を遂行するための設定されたプログラムによって動作することを特徴とするハイブリッド車両の定速走行制御システム。
【請求項５】
前記制御器は、
前記目標車速と前記傾斜角センサーによって検出された走行道路の傾斜角に基づいて走行負荷を演算し、演算された走行負荷に基づいて前記定速走行のための要求トルクを算出する走行負荷演算部；
前記算出された要求トルクに基づいて設定された比率でエンジントルクおよびモータトルクを分配して前記エンジンおよびモータに指令する動力分配部；
前記目標車速と前記車速センサーによって検出された走行車速間の速度差を算出し前記速度差に基づいて前記目標車速を追従するための追従モータトルクを算出する速度制御部；および
前記速度制御部によって算出された追従モータトルクを前記動力分配部で分配されたモータトルクに合算するための合算部；
を含むことを特徴とする請求項４に記載のハイブリッド車両の定速走行制御システム。
【請求項６】
前記目標車速が変更されると、前記変更された目標車速に基づいて前記要求トルクを更新算出し、更新算出された要求トルクを設定された比率のエンジントルクおよびモータトルクに更新分配することを特徴とする請求項４に記載のハイブリッド車両の定速走行制御システム。
【請求項７】
前記走行道路の傾斜角または前記ハイブリッド車両の走行負荷が変更されると、前記設定された比率で分配されたエンジントルク指令およびモータトルク指令を維持することを特徴とする請求項４に記載のハイブリッド車両の定速走行制御システム。
【発明の詳細な説明】
【技術分野】
【０００１】
本発明は、ハイブリッド車両の定速走行（ａｕｔｏ  ｃｒｕｉｓｅ）を制御するハイブリッド車両の定速走行制御システムおよび方法に関する。
【背景技術】
【０００２】
周知のようにハイブリッド車両（ｈｙｂｒｉｄ  ｅｌｅｃｔｒｉｃ  ｖｅｈｉｃｌｅ）は内燃機関エンジン（ｉｎｔｅｒｎａｌ  ｃｏｍｂｕｓｔｉｏｎ  ｅｎｇｉｎｅ）とバッテリー電源を共に使用する。つまり、ハイブリッド車両は内燃機関エンジンの動力とモータの動力を効率的に組み合わせて使用する。
【０００３】
前記ハイブリッド車両は一例として図１に示すように、エンジン１０、モータ２０、エンジン１０とモータ２０の間で動力を断続するエンジンクラッチ３０、変速機４０、差動歯車装置５０、バッテリー６０、前記エンジン１０を始動したり前記エンジン１０の出力によって発電をする始動発電機７０、および車輪８０を含むことができる。
【０００４】
また、前記ハイブリッド車両は、ハイブリッド車両の全体動作を制御するハイブリッド制御器（ＨＣＵ；ｈｙｂｒｉｄ  ｃｏｎｔｒｏｌ  ｕｎｉｔ）２００、エンジン１０の動作を制御するエンジン制御器（ＥＣＵ；ｅｎｇｉｎｅ  ｃｏｎｔｒｏｌ  ｕｎｉｔ）１１０、モータ２０の動作を制御するモータ制御器（ＭＣＵ；ｍｏｔｏｒ  ｃｏｎｔｒｏｌ  ｕｎｉｔ）１２０、変速機４０の動作を制御する変速制御器（ＴＣＵ；ｔｒａｎｓｍｉｓｓｉｏｎ  ｃｏｎｔｒｏｌ  ｕｎｉｔ）１４０、およびバッテリー６０を制御し管理するバッテリー制御器（ＢＣＵ；ｂａｔｔｅｒｙ  ｃｏｎｔｒｏｌ  ｕｎｉｔ）１６０を含むことができる。
【０００５】
前記バッテリー制御器１６０はバッテリー管理システム（ＢＭＳ；ｂａｔｔｅｒｙ  ｍａｎａｇｅｍｅｎｔ  ｓｙｓｔｅｍ）と呼称されることができる。前記始動発電機７０はＩＳＧ（ｉｎｔｅｇｒａｔｅｄ  ｓｔａｒｔｅｒ  &  ｇｅｎｅｒａｔｏｒ）またはＨＳＧ（ｈｙｂｒｉｄ  ｓｔａｒｔｅｒ  &  ｇｅｎｅｒａｔｏｒ）と呼称されることもできる。
【０００６】
このようなハイブリッド車両はモータ２０の動力だけを利用する純粋な電気自動車モードであるＥＶモード（ｅｌｅｃｔｒｉｃ  ｖｅｈｉｃｌｅ  ｍｏｄｅ）；エンジン１０の回転力を主動力にするとともにモータ２０の回転力を補助動力として利用するＨＥＶモード（ｈｙｂｒｉｄ  ｅｌｅｃｔｒｉｃ  ｖｅｈｉｃｌｅ  ｍｏｄｅ）；車両の制動あるいは慣性による走行時制動および慣性エネルギーを前記モータ２０の発電を通して回収してバッテリー６０に充電する回生制動モード（ｒｅｇｅｎｅｒａｔｉｖｅ  ｂｒａｋｉｎｇ  ｍｏｄｅ、ＲＢモード）などの走行モードで運行することができる。
【０００７】
一方、前記ハイブリッド車両には人（運転者）の助けなしに車両の走行速度を設定した目標速度（目標車速）に一定に維持する定速走行制御システム（ａｕｔｏ  ｃｒｕｉｓｅ  ｃｏｎｔｒｏｌ  ｓｙｓｔｅｍ）が適用される。運転者の助けがないということは、運転者が加速ペダルおよびブレーキペダルのような車速と関連ある機構を操作しないことを意味する。
【０００８】
従来技術の実施例によるハイブリッド車両の定速走行制御システムの概略的な構成を図２に示す。
【０００９】
従来技術の実施例によるハイブリッド車両の定速走行制御システムは、定速走行制御の際、目標車速制御のために速度制御部５で運転者要求トルクを演算し、動力分配部６で前記演算された運転者要求トルクをエンジントルク指令とモータトルク指令に分配して被制御対象７に含まれているエンジンおよびモータに印加して定速走行制御を行う。
【００１０】
しかし、このような従来技術の実施例によるハイブリッド車両の定速走行制御システムは、要求トルクが急変する時に正確な目標車速追従のためにエンジントルク指令を急変させることができる。
【００１１】
したがって、従来技術の実施例によるハイブリッド車両の定速走行制御システムは、前記急変するエンジントルク指令に対応するため、エンジンスロットル開度を一定水準開けて点火時期（ｓｐａｒｋ  ｔｉｍｉｎｇ）を可変制御することによって燃費を悪化させることができる。
【００１２】
この背景技術の部分に記載された事項は発明の背景に対する理解増進のために作成したものであって、この技術が属する分野における通常の知識を有する者にすでに知られた従来技術でない事項を含むことができる。
【発明の概要】
【発明が解決しようとする課題】
【００１３】
したがって、本発明が解決しようとする課題は、目標車速、傾斜角を利用して走行負荷を演算してこれを要求トルクに使って、エンジンとモータの動力を分配し分配されたモータトルクに速度制御器の追従トルクを加えて最終のモータトルクを生成してハイブリッド車両の定速走行（ａｕｔｏ  ｃｒｕｉｓｅ）を制御するハイブリッド車両の定速走行制御システムおよび方法を提供することである。
【課題を解決するための手段】
【００１４】
前記課題を解決するための本発明の実施例によるハイブリッド車両の定速走行制御方法は、ハイブリッド車両の走行車速を設定された目標車速で自動制御する定速走行制御方法であって、前記目標車速と走行道路の傾斜角に基づいて定速走行のための要求トルクを算出する段階；前記算出された要求トルクを設定された比率のエンジントルクおよびモータトルクに分配してエンジンとモータで前記設定された比率のトルクが発生するように前記エンジンとモータに指令する段階；前記走行車速と前記目標車速の速度差を算出する段階；前記算出された速度差を基礎に前記目標車速を追従するための追従モータトルクを算出して前記分配されたモータトルクに合算する段階；前記合算されたモータトルクを前記モータに指令して前記走行車速を前記目標車速で制御する段階を含むことができる。
【００１５】
前記目標車速が変更されると、前記変更された目標車速に基づいて前記要求トルクを更新算出し、更新算出された要求トルクを設定された比率のエンジントルクおよびモータトルクに更新分配することができる。
【００１６】
前記走行道路の傾斜角または前記ハイブリッド車両の走行負荷が変更されると、前記設定された比率で分配されたエンジントルク指令およびモータトルク指令を維持できる。
【００１７】
前記算出された速度差に基づいて前記目標車速を追従するための追従モータトルクを算出して前記分配されたモータトルクに合算する段階は、比例積分微分（ＰＩＤ；ｐｒｏｐｏｒｔｉｏｎａｌ  ｉｎｔｅｇｒａｌ  ｄｉｆｆｅｒｅｎｔｉａｌ）制御によって遂行できる。
【００１８】
前記算出された要求トルクを設定された比率のエンジントルクおよびモータトルクに分配する時、ハイブリッド車両のバッテリー６０（図１）のＳＯＣ（ｓｔａｔｅ  ｏｆ  ｃｈａｒｇｅ）のバランシング（ｂａｌａｎｃｉｎｇ）を考慮できる。
【００１９】
そして、前記課題を解決するための本発明の他の実施例によるハイブリッド車両の定速走行制御システムは、ハイブリッド車両の走行車速を設定された目標車速で自動制御する定速走行制御システムであって、前記ハイブリッド車両が走行する道路の傾斜角を検出する傾斜角センサー；前記ハイブリッド車両の走行車速を検出する車速センサー；エンジン、モータ、変速装置および制動装置を含んで前記ハイブリッド車両の走行車速を制御するための被制御対象；および前記傾斜角センサーおよび車速センサーの信号を受信して前記被制御対象を制御して走行車速を設定された目標車速で制御する制御器を含み、前記制御器は前記本発明の実施例によるハイブリッド車両の定速走行制御方法を遂行するための設定されたプログラムによって動作することができる。
【００２０】
前記制御器は、前記目標車速と前記傾斜角センサーによって検出された走行道路の傾斜角に基づいて走行負荷を演算し、演算された走行負荷に基づいて前記定速走行のための要求トルクを算出する走行負荷演算部；前記算出された要求トルクに基づいて設定された比率でエンジントルクおよびモータトルクを分配して前記エンジンおよびモータに指令する動力分配部；前記目標車速と前記車速センサーによって検出された走行車速間の速度差を算出し前記速度差に基づいて前記目標車速を追従するための追従モータトルクを算出する速度制御部；および前記速度制御部により算出された追従モータトルクを前記動力分配部で分配されたモータトルクに合算するための合算部を含むことができる。
【発明の効果】
【００２１】
前述のように本発明の実施例によれば、目標車速、傾斜角を利用して走行負荷を演算してこれを要求トルクに使って、エンジンとモータの動力分配を行い分配されたモータトルクに速度制御器の追従トルクを加えて最終のモータトルクを生成してハイブリッド車両の定速走行（ａｕｔｏ  ｃｒｕｉｓｅ）を制御することによって燃費および速度制御性能を向上させることができる。
【図面の簡単な説明】
【００２２】
【図１】一般的なハイブリッド車両を概念的に示すブロック構成図である。
【図２】従来技術の実施例によるハイブリッド車両の定速走行制御システムを概念的に示すブロック構成図である。
【図３】本発明の実施例によるハイブリッド車両の定速走行制御システムを示すブロック構成図である。
【図４】本発明の実施例によるハイブリッド車両の定速走行制御方法のフローチャートである。
【図５】本発明の実施例によるハイブリッド車両の定速走行制御システムの速度制御部の内部構成ブロック図である。
【図６】本発明の実施例によるハイブリッド車両の定速走行制御方法の作用を説明するための図である。
【発明を実施するための形態】
【００２３】
以下、添付図面を参考にして本発明の実施例について本発明の属する技術分野で通常の知識を有する者が容易に実施できるように詳しく説明する。しかし、本発明はここで説明される実施例に限定されるものではなく、他の形態に具体化することもできる。
【００２４】
明細書全体にわたって同一符号は同一の構成要素を意味する。
【００２５】
明細書全体で、ある部分がある構成要素を含むという場合、これは特に反対になる記載がない限り他の構成要素を除くのではなく、他の構成要素をさらに含むことができるのを意味する。
【００２６】
図１は本発明の実施例による定速走行制御システムが適用されるハイブリッド車両を概略的に示す図である。
【００２７】
図１に示されているように、本発明の実施例による定速走行制御システムが適用されるハイブリッド車両は、エンジン１０、モータ２０、エンジン１０とモータ２０の間で動力を断続するエンジンクラッチ３０、変速機４０、差動歯車装置５０、バッテリー６０および前記エンジン１０を始動したり前記エンジン１０の出力によって発電をする始動発電機７０を含むことができる。
【００２８】
また、本発明の実施例による定速走行制御システムが適用されるハイブリッド車両は、ハイブリッド車両の全体動作を制御するハイブリッド制御器（ＨＣＵ）２００、エンジン１０の動作を制御するエンジン制御器（ＥＣＵ）１１０、モータ２０の動作を制御するモータ制御器（ＭＣＵ）１２０、変速機４０の動作を制御する変速制御器（ＴＣＵ）１４０およびバッテリー６０を制御し管理するバッテリー制御器（ＢＣＵ）１６０を含むことができる。
【００２９】
図３は本発明の実施例によるハイブリッド車両の定速走行制御システムを示すブロック図である。
【００３０】
本発明の実施例による定速走行制御システムは、目標車速、傾斜角を利用して走行負荷を演算してこれを要求トルクに使って、エンジンとモータの動力分配を行い分配されたモータトルクに速度制御器の追従トルクを加えて最終のモータトルクを生成してハイブリッド車両の定速走行（ａｕｔｏ  ｃｒｕｉｓｅ）を制御するシステムである。
【００３１】
このような本発明の実施例による従属走行制御システムは、前記ハイブリッド車両が走行する道路の傾斜角を検出する傾斜角センサー３０２、前記ハイブリッド車両の走行車速を検出する車速センサー３０４、図１に示すようなエンジン１０、モータ２０、変速装置および制動装置を含んで前記ハイブリッド車両の走行車速を制御するための被制御対象３７０、および前記傾斜角センサー３０２および車速センサー３０４の信号を受信して前記被制御対象３７０中で特にエンジンおよびモータを制御して走行車速を設定された目標車速で制御する制御器３００を含むことができる。
【００３２】
前記傾斜角センサー３０２は、本発明の実施例では一例としてホイールに装着されて車両の縦傾きを検出する縦加速度センサーで形成されることができ、他の例としてはブレーキロッキング防止装置（ＡＢＳ；ａｎｔｉ−ｌｏｃｋ  ｂｒａｋｉｎｇ  ｓｙｓｔｅｍ）と関連した縦加速度センサーで形成されることができるが、本発明はこれに限定されるものではない。これと異なる構成であっても、実質的な車両の傾斜角に相応する値の計算を可能にする構成であれば本発明の技術的な思想が適用されることができる。
【００３３】
前記車速センサー３０４は、本発明の実施例では一例としてホイールに付着して回転速度を検出する車速センサーで形成されることができ、他の例としては変速機の終減速ギヤに付着する車速センサーで形成されることができるが、本発明はこれに限定されるものではない。これと異なる構成であっても、実質的な車速に相応する値の計算を可能にする構成であれば本発明の技術的な思想が適用されることができる。
【００３４】
前記制御器３００は、設定されたプログラムによって動作する一つ以上のマイクロプロセッサーまたは前記マイクロプロセッサーを含むハードウェアであって、前記設定されたプログラムは後述する本発明の実施例による定速走行制御方法を遂行するための一連の命令で形成される。
【００３５】
前記制御器３００は、図３に示すように、前記目標車速と前記傾斜角センサー３０２によって検出された走行道路の傾斜角に基づいて走行負荷を演算し、演算された走行負荷に基づいて前記定速走行のための要求トルクを算出する走行負荷演算部３１０、前記算出された要求トルクに基づいて設定された比率でエンジントルクおよびモータトルクを分配して前記エンジン１０およびモータ２０に指令する動力分配部３６０、前記目標車速と前記車速センサー３０４によって検出された走行車速間の速度差を算出し前記速度差に基づいて前記目標車速を追従するための追従モータトルクを算出する速度制御部３５０、および前記速度制御部３５０によって算出された追従モータトルクを前記動力分配部３６０で分配されたモータトルクに合算するための合算部３８０を含むことができる。
【００３６】
前記制御器３００を構成する各構成要素は設定されたプログラムによって動作する一つ以上のマイクロプロセッサーまたは前記マイクロプロセッサーを含むハードウェアで構成されることもできる。
【００３７】
前記速度制御部３５０は、本発明の実施例では一例として、車速センサー３０４によって検出される走行車速を目標車速に追従させるために車速をフィードバック制御でき、このため、図６に示すようなＰＩＤ（ｐｒｏｐｏｒｔｉｏｎａｌ  ｉｎｔｅｇｒａｌ  ｄｉｆｆｅｒｅｎｔｉａｌ）制御器を含むことができる。前記ＰＩＤ制御器の構成および作用については当業者に一般的なものであるため、これに対する詳細な説明は省略する。
【００３８】
本発明の実施例において前記制御器３００は、図１に示されたようなハイブリッド車両のエンジン１０を制御するエンジン制御器（ＥＣＵ）、モータ２０を制御するモータ制御器（ＭＣＵ）、変速機４０を制御する変速制御器（ＴＣＵ）、およびエンジンクラッチ３０を制御しハイブリッド車両の全体動作を制御するハイブリッド制御器（ＨＣＵ）を含むことができる。
【００３９】
後述する本発明の実施例による定速走行制御方法において、その一部プロセスは前記エンジン制御器によって、他の一部プロセスはモータ制御器によって、また他の一部プロセスは変速制御器によって、また他の一部プロセスはハイブリッド制御器によって行うことができる。
【００４０】
本発明は保護範囲は後述する実施例に限定されるものではない。本発明の実施例での説明と異なる組み合わせで制御器を実現することができる。また、前記エンジン制御器、モータ制御器、変速制御器およびハイブリッド制御器が実施例で説明されたものとは異なる組み合わせのプロセスを行うことができる。
【００４１】
以下、本発明の実施例によるハイブリッド車両の走行モード制御方法について添付図面を参照して詳しく説明する。
【００４２】
図４は本発明の実施例によるハイブリッド車両の走行モード制御方法を示すフローチャートである。
【００４３】
図４に示されているように、制御器３００は使用者（運転者）によって設定される目標車速と走行道路の傾斜角を検出する傾斜角センサー３０２の信号に基づいて定速走行のための要求トルクを算出する（Ｓ１００、Ｓ２００）。
【００４４】
前記要求トルクは制御器３００の走行負荷演算部３１０によって算出されることができる。
【００４５】
走行負荷演算部３１０は、本発明の実施例では一例として、図５に示すように、運転者によって設定された目標車速（ｖ）と傾斜角センサー３０２に検出された走行道路の傾斜角（θ）を基礎にハイブリッド車両に作用する走行負荷として力（Ｆ；ｆｏｒｃｅ）を演算することができ、前記演算された力（Ｆ）に車輪の半径をかけて要求トルクを算出することができる。
【００４６】
図５で前記力（Ｆ）は車輪のローリングに応じたローリング抵抗力（Ｆｒｏｌｌｉｎｇ）と、走行中に車体の空気抵抗による空気抵抗力（Ｆａｅｒｏｄｙｎａｍｉｃ）および走行道路の傾斜角に応じた傾斜抵抗力（Ｆｃｌｉｍｂｉｎｇ）の和で定義される。
【００４７】
前記ローリング抵抗力（Ｆｒｏｌｌｉｎｇ）、空気抵抗力（Ｆａｅｒｏｄｙｎａｍｉｃ）および傾斜抵抗力（Ｆｃｌｉｍｂｉｎｇ）はそれぞれ以下の式で計算できる。以下の式でＡは車両の正面面積（ｍ２）であり、Ｃｄは空気抵抗係数でマイナス符号であり、ρは大気中空気密度（ｋｇ/ｍ３）である。
【００４８】
【数１】
2014169065.tif 000003
【００４９】
【数２】
2014169065.tif 000004
【００５０】
【数３】
2014169065.tif 000005
【００５１】
一方、傾斜角センサー３０２が縦加速度センサーで形成される場合、傾斜角（θ）は以下のようにして求められる。
【００５２】
以下の式でｌｏｎｇ_ａｃｃｅｌ_ｖａｌは縦加速度センサーの出力信号値であり、Ｍは車両重量であり、ａは車両走行加速度、ｇは重力加速度である。
【００５３】
【数４】
2014169065.tif 000006
【００５４】
Ｓ２００で走行負荷演算部３１０が目標車速と走行道路の傾斜角に基づいて定速走行のための要求トルクを算出すると、制御器３００は動力分配部３６０を通じて前記算出された要求トルクを設定された比率のエンジントルクおよびモータトルクに分配してエンジン１０とモータ２０で前記設定された比率のトルクが発生するように前記エンジンおよびモータに指令する（Ｓ３００）。
【００５５】
前記設定された比率は実験データ等を通して最適値を設定できることは当業者にとって自明である。
【００５６】
そして、動力分配部３６０は前記算出された要求トルクを設定された比率のエンジントルクおよびモータトルクに分配する場合、ハイブリッド車両のバッテリー６０（図１）のＳＯＣ（ｓｔａｔｅ  ｏｆ  ｃｈａｒｇｅ）のバランシング（ｂａｌａｎｃｉｎｇ）を考慮してトルク分配を適切に行うことができる。
【００５７】
動力分配部３６０でエンジントルク指令およびモータトルク指令がそれぞれエンジンとモータに印加されると、前記エンジンとモータはそれぞれ指令されたトルクを発生し、前記エンジンとモータによって発生したトルクによってハイブリッド車両は走行することになる。
【００５８】
前記ハイブリッド車両の走行の際、車速センサー３０４は走行車速を検出して速度制御部３５０に入力する。
【００５９】
車速センサー３０４によって検出された走行車速が入力されると、制御器３００の速度制御部３５０は前記目標車速と前記検出された走行車速間の速度差を算出し、算出された速度差が設定値以上であるか判断する（Ｓ４００、Ｓ５００）。
【００６０】
前記設定値は本発明の実施例では一例として前記目標車速の２〜５％にすることができるが、本発明はこれに限定されるものではない。
【００６１】
前記速度差が設定値以上であれば、速度制御部３５０は前記速度差に基づいて前記目標車速を追従するための追従モータトルクを算出して合算部３８０に入力する（Ｓ６００）。
【００６２】
前記追従モータトルクが合算部３８０に入力されると、合算部３８０は前記入力された追従モータトルクを前記動力分配部３６０で分配されたモータトルクに合算して合算された最終のモータトルクをモータ２０に指令して前記走行車速が前記目標車速を追従するようにする（Ｓ７００、Ｓ８００）。
【００６３】
前記のようにして、制御器３００が定速走行制御中に前記目標車速が変更されると、制御器３００は前述のように前記変更された目標車速に基づいて前記要求トルクを更新算出し、更新算出された要求トルクを設定された比率のエンジントルクおよびモータトルクに更新分配することができる。
【００６４】
一方、前記目標車速の変更ではなく、前記走行道路の傾斜角または前記ハイブリッド車両の走行負荷が変更されて走行車速が変わる場合、制御器３００は前記設定された比率で分配されたエンジントルク指令およびモータトルク指令をそのまま維持した状態で、速度制御器３５０で変化した走行車速に応じた追従モータトルクを算出し、これを前記分配されたモータトルクに合算させて前記走行車速が前記目標車速を追従するようにすることができる。
【００６５】
したがって、本発明の実施例によれば、走行負荷の変動がない場合、例えば、走行道路の傾斜角の変化がない場合、エンジントルク指令は大きく変わらないので一定のスロットル、点火角の制御が可能であり、それだけエンジン効率が向上することができる。
【００６６】
そして、本発明の実施例によれば、動力分配部で分配されたモータトルクに速度制御部で生成された追従モータトルクを合算して最終のモータトルクを生成し、これを応答性能が速いモータに指令することによって定速走行の制御性能を向上させることができる。
【００６７】
以上、本発明の実施例について詳細に説明したが、本発明の権利範囲はこれによって限定されるものではなく、以下の特許請求の範囲で定義している本発明の基本概念を利用した当業者の色々な変形および改良形態も本発明の権利範囲に属するのである。
【符号の説明】
【００６８】
３００  制御器
３０２  傾斜角センサー
３０４  車速センサー
３１０  走行負荷演算部
３５０  速度制御部
３６０  動力分配部
【図１】
2014169065.tif 000007
【図２】
2014169065.tif 000008
【図３】
2014169065.tif 000009
【図４】
2014169065.tif 000010
【図５】
2014169065.tif 000011
【図６】
2014169065.tif 000012